(57)【特許請求の範囲】
【請求項１】
ＡＤＦ（自動原稿搬送装置）の一部を構成し，回転軸を有して原稿台に載置された原稿を固定および密着させる圧板と，
前記回転軸が上下移動可能な自由モードと上下移動が不可能な固定モードとの間で切替可能な軸変動手段を有して，前記圧板を装置本体に対して上下方向に移動可能に支持して開閉可能に取り付ける圧板取付機構と，
前記圧板が閉状態で，前記圧板取付機構において前記回転軸が上下移動の最下位置に配置され，かつ前記軸変動手段が前記固定モードを選択している場合にのみ前記ＡＤＦにより原稿が搬送可能とするオペレーション制御手段と，
を備えたことを特徴とする画像読取装置。
【請求項２】
請求項１記載の画像読取装置において，
前記圧板取付機構が，前記圧板を無段階または複数段階に上下方向に移動可能に支持することを特徴とする画像読取装置。
【請求項３】
請求項１記載の画像読取装置において，
前記圧板取付機構が，前記圧板を自由に上下方向に移動可能に支持しており，前記原稿台に載置された原稿の厚さに応じて前記圧板を停止させることを特徴とする画像読取装置。
【発明の詳細な説明】
【０００１】
【発明の属する技術分野】
本発明は，ＡＤＦ（自動原稿搬送装置）の一部を構成する圧板を用いて，原稿台に載置された原稿を固定および密着させる画像読取装置に関し，より詳細には，圧板を上下方向に移動可能として，本，雑誌などのブック原稿の読み取りを適切に行えるとともに，ＡＤＦの誤使用を防ぐフールプルーフ機能を備えた画像読取装置に関する。
【０００２】
【従来の技術】
本，雑誌などの厚い原稿（ブック原稿）を読み取る従来の画像読取装置としては，特開平２−２２６１３８号公報『複写機』に開示されたものがある。特開平２−２２６１３８号公報『複写機』は，厚い原稿を読み取る際，あらかじめ原稿台に備えられた原稿押えベルトを使用して，原稿を仮押さえするものであり，原稿を仮押さえすることによって厚い原稿をずらすことなく読み取ることができる。
【０００３】
【発明が解決しようとする課題】
しかしながら，特開平２−２２６１３８号公報によれば，原稿を仮押さえして厚い原稿をずれにくくしているものの，図７に示すように，圧板７０１を閉じた場合，開閉可能とする圧板軸７０２に近い点（Ｄ点）で原稿７０３に当たり圧板７０１が斜めになってしまい，読み取る際の光源が漏れてしまうという問題点があった。なお，図７は，従来の画像読取装置の問題点を示す説明図である。
【０００４】
さらに，圧板７０１が斜めになってしまうため，原稿７０３に対して，Ｄ点で斜めに力を掛けてしまうので，原稿７０３がずれてしまう虞があった。
【０００５】
本発明は上記に鑑みてなされたものであって，本，雑誌などの厚い原稿を読み取る際に，圧板によって原稿ずれが発生するのを回避することを目的とする。
【０００６】
また，本発明は上記に鑑みてなされたものであって，本，雑誌などの厚い原稿を読み取る際の光源の漏れを最小限にすることを目的とする。
【０００７】
【課題を解決するための手段】
上記の目的を達成するために，請求項１に係る画像読取装置は，ＡＤＦ（自動原稿搬送装置）の一部を構成し，回転軸を有して原稿台に載置された原稿を固定および密着させる圧板と，前記回転軸が上下移動可能な自由モードと上下移動が不可能な固定モードとの間で切替可能な軸変動手段を有して，前記圧板を装置本体に対して上下方向に移動可能に支持して開閉可能に取り付ける圧板取付機構と，前記圧板が閉状態で，前記圧板取付機構において前記回転軸が上下移動の最下位置に配置され，かつ前記軸変動手段が前記固定モードを選択している場合にのみ前記ＡＤＦにより原稿が搬送可能とするオペレーション制御手段と，を備えたものである。
【０００８】
また，請求項２に係る画像読取装置は，前記圧板取付機構が，前記圧板を無段階または複数段階に上下方向に移動可能に支持するものである。
【０００９】
また，請求項３に係る画像読取装置は，前記圧板取付機構が，前記圧板を自由に上下方向に移動可能に支持しており，前記原稿台に載置された原稿の厚さに応じて前記圧板を停止させるものである。
【００１０】
【発明の実施の形態】
以下，本発明の画像読取装置に用いる圧板について，〔実施の形態１〕，〔実施の形態２〕，〔実施の形態３〕，〔実施の形態４〕の順に，図面を参照して詳細に説明する。
【００１１】
〔実施の形態１〕
図１は，実施の形態１の画像読取装置１００を示す説明図である。画像読取装置１００は，原稿台１０１と，原稿台１０１に載置された原稿１０２をカバー，および，原稿台１０１に密着させる圧板１０３と，圧板１０３が開閉するための圧板軸１０４と，画像読取装置１００を操作するためのオペレーションポート１０５と，コピーされた記録紙を排紙するトレイである排紙トレイ１０６と，圧板軸１０４を上下方向に移動可能とする孔１０７とから構成されている。
【００１２】
なお，圧板軸１０４および孔１０７によって，圧板１０３を開閉可能に画像読取装置１００本体に取り付けると共に，圧板１０３を画像読取装置１００本体に対して上下方向に移動可能に支持する圧板取付機構の役割を実現している。
【００１３】
次に，上記構成において，その基本動作を説明する。まず，原稿台１０１に原稿１０２を載置し，圧板１０３を閉じることによって，原稿１０２は，原稿台１０１に密着される。
【００１４】
続いて，オペレーションポート１０５上のプリントキー（図示せず）の操作によって，コピー動作が実行され，コピーされた記録紙は，排紙トレイ１０６に排紙される。
【００１５】
次に，上記構成および基本動作において，実施の形態１の動作を図面を参照して説明する。図２は，実施の形態１の圧板軸１０４を上下方向に移動させた状態を示す説明図である。図２（ａ）に示す原稿１０２ａのような原稿１０２が薄い場合，圧板軸１０４を孔１０７の下方向に下げ，圧板１０３を閉じる。また，図２（ｂ）に示す原稿１０２ｂにような原稿１０２が厚い場合，圧板軸１０４を孔１０７の上方向に上げ，圧板１０３を閉じる。
【００１６】
前述したように実施の形態１によれば，原稿１０２が厚い場合（図２（ｂ）に示す原稿１０２ｂのような場合），圧板軸１０４を孔１０７の上方向に上げ，圧板１０３を閉じることとしたため，圧板１０３が原稿１０２に対して平行に閉じることができるので，原稿１０２が原稿台１０１に平行に密着できるとともに，原稿台１０１がずれることがない。
【００１７】
また，圧板１０３が原稿１０２に対して平行に閉じることができるため，原稿１０２を読み取る際の光源が漏れることを最小限にすることができる。
【００１８】
〔実施の形態２〕
実施の形態２では，圧板軸１０４の上下方向の移動を複数段階としたものについて，説明する。なお，実施の形態２では，基本的に実施の形態１と同様のため，異なる点のみ，図面を参照して説明する。
【００１９】
図３は，実施の形態２の圧板軸１０４を上下方向に移動させた状態を示す説明図である。例えば，図３（ａ）に示すように原稿３０２が若干厚く，圧板軸１０４が上下２段階の移動であり，上方向に圧板軸１０４を移動させている場合，圧板軸１０４に近い点（図示Ａ点の近傍）に，大きな隙間を生じてしまう。
【００２０】
実施の形態２では，上記隙間を生じないように，圧板軸１０４の上下方向の移動を複数段階とし，図３（ｂ）に示すように原稿３０２が若干厚い場合，圧板軸１０４を孔１０７の上下方向で原稿３０２の厚さに応じて位置を調整し，圧板１０３を閉じる。
【００２１】
前述したように実施の形態２によれば，図３に示すように原稿３０２が若干厚い場合，圧板軸１０４を孔１０７の上方向で原稿３０２の厚さに応じて位置を調整し圧板１０３を閉じることとしたため，圧板１０３が原稿３０２に対して平行に閉じることができるので，原稿３０２が原稿台１０１に平行に密着できるとともに，大きな隙間を生じない。
【００２２】
また，圧板１０３が原稿３０２に対して平行に閉じられ，かつ，大きな隙間を生じないため，原稿３０２を読み取る際の光源が漏れることを最小限にすることができる。
【００２３】
〔実施の形態３〕
実施の形態３は，圧板１０３の上下方向の移動を禁止して固定する圧板固定手段としての軸変動モード４０１を備えたことについて，説明する。なお，実施の形態３では，基本的に実施の形態２と同様のため，異なる点のみを，図面を参照して説明する。
【００２４】
軸変動モード４０１は，圧板軸１０４を上下方向の移動可能を固定または自由に切り替えることができるものである。圧板軸１０４を備えた軸変動モード４０１の切り替えについて，図４および図５を参照して説明する。
【００２５】
図４および図５は，軸変動モード４０１の切り替え動作を示した説明図である。軸変動モード４０１は，レバーになっており，図４および図５の左側に倒した時を圧板軸１０４が固定されている軸固定モード，また，図４および図５の右側に倒した時を圧板軸１０４が自由となっている軸自由モードである。
【００２６】
まず，図４に示すように，軸変動モード４０１を図面，左から右へ倒し，軸固定モードから軸自由モードに切り替え，圧板１０３を開け，原稿４０２を原稿台１０１に載置する。
【００２７】
次に，図５に示すように，軸自由モードとなった圧板軸１０４は，Ｂ点を支点，Ｃ点を力点として上方向に上がり，圧板１０３が閉じられる。この状態で，軸変動モード４０１を操作して軸自由モードから軸固定モードに切り替える。
【００２８】
なお，軸変動モード４０１は，圧板軸１０４が固定または自由と切り替えができれば，どのような構成であっても良いことは，勿論である。
【００２９】
前述したように実施の形態３によれば，軸変動モード４０１を操作して圧板軸１０４を軸固定モードと軸自由モードとを切り替えできるようにしているため，例えば，同一の原稿４０２をコピーする際，毎回圧板軸１０４を調整しなくとも良い。
【００３０】
〔実施の形態４〕
実施の形態４は，圧板１０３がＡＤＦ（図示せず）の一部であるとして説明する。なお，実施の形態４は，基本的に実施の形態３と同様の構成であるため，異なる点のみ図面を参照して説明する。
【００３１】
図６は，実施の形態４の画像読取装置１００の動作を示すフローチャートである。まず，オペレーションポート１０５のプリントキー（図示せず）が押下されると（Ｓ６０１），ＡＤＦがセットされている（ＡＤＦモード）か否かを判断し（Ｓ６０２），ＡＤＦモードでないと判断した場合，ステップＳ６０５を実行する。
【００３２】
一方，ＡＤＦモードであると判断した場合，圧板軸１０４が最下位置にあり，かつ，軸変動モード４０１が軸固定モードであるか否かを判断し（Ｓ６０３），否定された場合，オペレーションポート１０５に備えた表示部（図示せず）に圧板軸１０４のモード変更を表示し（Ｓ６０４），処理を終了する。
【００３３】
また，ステップＳ６０３において，肯定された場合，コピーをスタートし（Ｓ６０５），処理を終了する。
【００３４】
前述したように実施の形態４によれば，圧板１０３がＡＤＦの一部であり，ＡＤＦは，圧板１０３が閉じられ，かつ，圧板軸１０４が上下方向の最下位置，すなわち，孔１０７の最下位置に軸固定モードである場合にのみ使用可能としている。
【００３５】
【発明の効果】
以上説明したように，本発明の画像読取装置（請求項１）によれば，ＡＤＦ（自動原稿搬送装置）の一部を構成し，回転軸を有する圧板を用いて，原稿台に載置された原稿を固定および密着させる画像読取装置において，前記圧板を開閉可能に装置本体に取り付けると共に，前記圧板を装置本体に対して上下方向に移動可能に支持する圧板取付機構を備え，圧板取付機構が回転軸を上下移動可能な自由モードと上下移動が不可能な固定モードとの間で切替可能な軸変動手段を有し，圧板が閉じられ，回転軸が上下移動の最下位置に置かれ，かつ軸変動手段が固定モードを選択している場合においてのみＡＤＦを使用可能とするため，本，雑誌などの厚い原稿を原稿台に対して，平行に固定および密着させて画像読取を実行できるとともに，ＡＤＦを用いる際は，ＡＤＦの一部を構成する圧板が閉状態で，かつ，圧板が上下方向の最下位置に配置されて固定されている場合にのみＡＤＦにより原稿が搬送可能とすることにより，圧板が開いた状態，あるいは圧板が最下位置で固定されていない状態においてはＡＤＦによる原稿の読み取りを停止するため，ＡＤＦの誤使用を回避することができるので，ＡＤＦの誤使用を防ぐフールプルーフ機能を発揮できるという効果を奏する。
【００３６】
また，本発明の画像読取装置（請求項２）によれば，前記圧板取付機構が，前記圧板を無段階または複数段階に上下方向に移動可能に支持するため，本，雑誌などがどのような厚さでも原稿を原稿台に対して，平行に固定および密着させることができるので，本，雑誌などの厚い原稿を読み取る際に，圧板によって原稿ずれが発生するのを回避することができる。
【００３７】
さらに，原稿を原稿台に対して，平行に固定および密着させることができるので，本，雑誌などの厚い原稿を読み取る際の光源の漏れを最小限にすることができる。
【００３８】
また，本発明の画像読取装置（請求項３）によれば，前記圧板取付機構が，前記圧板を自由に上下方向に移動可能に支持しており，前記原稿台に載置された原稿の厚さに応じて前記圧板を停止させるため，本，雑誌などがどのような厚さでも原稿を原稿台に対して，平行に固定および密着させることができるので，本，雑誌などの厚い原稿を読み取る際に，圧板によって原稿ずれが発生するのを回避することができる。
【００３９】
さらに，原稿を原稿台に対して，平行に固定および密着させることができるので，本，雑誌などの厚い原稿を読み取る際の光源の漏れを最小限にすることができる。
【図面の簡単な説明】
【図１】実施の形態１の画像読取装置を示す説明図である。
【図２】実施の形態１の圧板軸を上下方向に移動させた状態を示す説明図である。
【図３】実施の形態２の圧板軸を上下方向に移動させた状態を示す説明図である。
【図４】軸変動モードの切り替え動作を示した説明図である。
【図５】軸変動モードの切り替え動作を示した説明図である。
【図６】実施の形態４の画像読取装置の動作を示すフローチャートである。
【図７】従来の画像読取装置の問題点を示す説明図である。
【符号の説明】
１００    画像読取装置
１０１    原稿台
１０２，１０２ａ，１０２ｂ，３０２，４０２    原稿
１０３    圧板
１０４    圧板軸
１０５    オペレーションポート
１０６    排紙トレイ
１０７    孔
４０１    軸変動モード
【図１】
0003548334.tif 000002
【図２】
0003548334.tif 000003
【図３】
0003548334.tif 000004
【図４】
0003548334.tif 000005
【図５】
0003548334.tif 000006
【図６】
0003548334.tif 000007
【図７】
0003548334.tif 000008